【手続補正書】
【提出日】平成19年9月25日(2007.9.25)
【手続補正１】
【補正対象書類名】特許請求の範囲
【補正対象項目名】全文
【補正方法】変更
【補正の内容】
【特許請求の範囲】
【請求項１】
映像データおよび音声データの少なくとも一方を含むデータを再生し、送信するデータ送信装置と、前記データ送信装置に接続され、当該接続されたデータ送信装置から受け取った前記データを受信して処理するデータ受信装置とを備えるデータ送受信システムにおける前記データ送信装置であって、
装置の動作を制御するクロックを送信側クロックとして生成する送信側クロック生成手段と、
前記データ受信装置側で、前記送信側クロックに同期したクロックを受信側クロックとして生成して、当該送信側クロックとの同期をとる送信装置クロック制御モードにより前記データ送受信システムのクロックの同期を制御する第一の同期制御手段と、
前記データ受信装置で検出した前記受信側クロックと前記送信側クロックとの差異に応じて前記データ送信装置側で、前記送信側クロックを調整することにより、前記受信側クロックと前記送信側クロックとの同期をとる受信装置クロック制御モードにより前記データ送受信システムのクロックの同期を制御する第二の同期制御手段と、
音声データおよび映像データのいずれか一方のみのデータの再生を行う場合、前記第一の同期制御手段に動作の制御を行わせ、音声データおよび映像データの両方を含むデータの再生を行う場合、前記第二の同期制御手段に動作の制御を行わせる再生制御手段と、
前記接続されているデータ受信装置を特定する受信装置特定手段と、
前記送信側クロックと前記受信側クロックとの差異を検出するクロック差異検出手段と、を備え、
前記再生制御手段は、
前記受信装置クロック制御モードでの動作の要求を受け付けると、前記受信装置特定手段で特定したデータ受信装置が、受信装置クロック制御モードで動作したことがある場合、前記クロック差異検出手段が検出した差異が、予め定めた範囲内の場合、前記音声データおよび映像データの両方を含むデータを再生する場合であっても、前記第一の同期制御手段に同期を制御させること
を特徴とするデータ送信装置。
【請求項２】
映像データおよび音声データの少なくとも一方を含むデータを再生し、送信するデータ送信装置と、前記データ送信装置に接続され、当該接続されたデータ送信装置から受け取った前記データを受信して処理するデータ受信装置とを備えるデータ送受信システムにおける前記データ受信装置であって、
装置の動作を制御するクロックを受信側クロックとして生成する受信側クロック生成手段と、
前記データ送信装置が、前記データ受信装置で検出した前記データ送信装置で生成する送信側クロックと前記受信側クロックとの差異に従って前記受信側クロックと前記送信側クロックとの同期をとる受信装置クロック制御モードで前記データ送受信システムのクロックの同期を制御する場合、前記データ送信装置から受け取った前記データから前記送信側クロックを抽出し、前記受信側クロックとの差異を検出し、検出した差異を補正する制御信号を生成し、前記データ送信装置に出力する制御信号生成出力手段を備えること
を特徴とするデータ受信装置。
【請求項３】
映像データおよび音声データの少なくとも一方を含むデータを再生し、送信するデータ送信装置と、前記データ送信装置に接続され、当該接続されたデータ送信装置から受け取った前記データを受信して処理するデータ受信装置とを備えるデータ送受信システムであって、
前記データ送信装置は、
装置の動作を制御するクロックを送信側クロックとして生成する送信側クロック生成手段と、
前記データ受信装置側で、前記送信側クロックに同期したクロックを受信側クロックとして生成して、当該送信側クロックとの同期をとる送信装置クロック制御モードにより前記データ送受信システムのクロックの同期を制御する第一の同期制御手段と、
前記データ受信装置で検出した前記受信側クロックと前記送信側クロックとの差異に応じて前記データ送信装置側で、前記送信側クロックを調整することにより、前記受信側クロックと前記送信側クロックとの同期をとる受信装置クロック制御モードにより前記データ送受信システムのクロックの同期を制御する第二の同期制御手段と、
音声データおよび映像データのいずれか一方のみのデータの再生を行う場合、前記第一の同期制御手段に動作の制御を行わせ、音声データおよび映像データの両方を含むデータの再生を行う場合、前記第二の同期制御手段に動作の制御を行わせる再生制御手段と、
前記接続されているデータ受信装置を特定する受信装置特定手段と、
前記送信側クロックと前記受信側クロックとの差異を検出するクロック差異検出手段と、を備え、
前記データ受信装置は、
前記受信側クロックを生成する受信側クロック生成手段と、
前記受信装置クロック制御モードで動作する場合、前記受信側クロックと前記送信側クロックとの差異を検出し、差異を補正する制御信号を生成し、前記データ送信装置に送出する制御信号生成出力手段と、を備え、
前記クロック差異検出手段は、前記制御信号の種別と頻度により差異を検出し、
前記再生制御手段は、
前記受信装置クロック制御モードでの動作の要求を受け付けると、前記受信装置特定手段で特定したデータ受信装置が、受信装置クロック制御モードで動作したことがある場合、前記クロック差異検出手段が検出した差異が、予め定めた範囲内の場合、前記音声データおよび映像データの両方を含むデータを再生する場合であっても、前記第一の同期制御手段に同期を制御させること
を特徴とするデータ送受信システム。
【請求項４】
映像データおよび音声データの少なくとも一方を含むデータを再生し、送信するデータ送信装置と、前記データ送信装置に接続され、当該接続されたデータ送信装置から受け取った前記データを受信して処理するデータ受信装置とを備えるデータ送受信システムにおける前記データ送信装置であって、
音声データのためのクロック（送信側音声クロック）を生成する音声用クロック生成手段と、
映像データのためのクロック(送信側映像クロック)を生成する映像用クロック生成手段と、
前記データ受信装置側で、前記送信側音声クロックに同期したクロックを受信側クロックとして生成して、当該送信側音声クロックとの同期をとる送信装置クロック制御モードにより前記データ送受信システムのクロックの同期を制御する第一の同期制御手段と、
前記データ受信装置で検出した前記受信側クロックと前記送信側音声クロックとの差異に応じて前記データ送信装置側で、前記送信側音声クロックを調整することにより、前記受信側クロックと前記送信側音声クロックとの同期をとる受信装置クロック制御モードにより前記データ送受信システムのクロックの同期を制御する第二の同期制御手段と、
音声データおよび映像データのいずれか一方のみのデータの再生を行う場合、前記第一の同期制御手段に動作の制御を行わせ、音声データおよび映像データの両方を含むデータの再生を行う場合、前記第二の同期制御手段に動作の制御を行わせる再生制御手段と、
前記接続されているデータ受信装置を特定する受信装置特定手段と、
前記送信側音声クロックと前記受信側クロックとの差異を検出するクロック差異検出手段と、
前記送信側映像クロックを前記送信側音声クロックに同期させる映像クロック同期手段と、
を備え、
前記再生制御手段は、
前記受信装置クロック制御モードでの動作の要求を受け付けると、前記受信装置特定手段で特定したデータ受信装置が、受信装置クロック制御モードで動作したことがある場合、前記クロック差異検出手段が検出した差異が、予め定めた範囲内の場合、前記音声データおよび映像データの両方を含むデータを再生する場合であっても、前記映像クロック同期手段に前記送信側映像クロックを前記送信側音声クロックに同期させるとともに、前記第一の同期制御手段に同期を制御させること
を特徴とするデータ送信装置。
【請求項５】
映像データおよび音声データの少なくとも一方を含むデータを再生し、送信するデータ送信装置と、前記データ送信装置に接続され、当該接続されたデータ送信装置から受け取った前記データを受信して処理するデータ受信装置とを備えるデータ送受信システムであって、
前記データ送信装置は、
音声データのためのクロック（送信側音声クロック）を生成する音声用クロック生成手段と、
映像データのためのクロック(送信側映像クロック)を生成する映像用クロック生成手段と、
前記データ受信装置側で、前記送信側音声クロックに同期したクロックを受信側クロックとして生成して、当該送信側音声クロックとの同期をとる送信装置クロック制御モードにより前記データ送受信システムのクロックの同期を制御する第一の同期制御手段と、
前記データ受信装置で検出した前記受信側クロックと前記送信側音声クロックとの差異に応じて前記データ送信装置側で、前記送信側音声クロックを調整することにより、前記受信側クロックと前記送信側音声クロックとの同期をとる受信装置クロック制御モードにより前記データ送受信システムのクロックの同期を制御する第二の同期制御手段と、
音声データおよび映像データのいずれか一方のみのデータの再生を行う場合、前記第一の同期制御手段に動作の制御を行わせ、音声データおよび映像データの両方を含むデータの再生を行う場合、前記第二の同期制御手段に動作の制御を行わせる再生制御手段と、
前記接続されているデータ受信装置を特定する受信装置特定手段と、
前記送信側音声クロックと前記受信側クロックとの差異を検出するクロック差異検出手段と、
前記送信側映像クロックを前記送信側音声クロックに同期させる映像クロック同期手段と、を備え、
前記データ受信装置は、
前記受信側クロックを生成する受信側クロック生成手段と、
前記受信装置クロック制御モードで動作する場合、前記受信側クロックと前記送信側クロックとの差異を検出し、差異を補正する制御信号を生成し、前記データ送信装置に送出する制御信号生成出力手段と、を備え、
前記クロック差異検出手段は、前記制御信号の種別と頻度により差異を検出し、
前記再生制御手段は、
前記受信装置クロック制御モードでの動作の要求を受け付けると、前記受信装置特定手段で特定したデータ受信装置が、受信装置クロック制御モードで動作したことがある場合、前記クロック差異検出手段が検出した差異が、予め定めた範囲内の場合、前記音声データおよび映像データの両方を含むデータを再生する場合であっても、前記映像クロック同期手段に前記送信側映像クロックを前記送信側音声クロックに同期させるとともに、前記第一の同期制御手段に同期を制御させること
を特徴とするデータ送受信システム。
【手続補正２】
【補正対象書類名】明細書
【補正対象項目名】００１５
【補正方法】変更
【補正の内容】
【００１５】
具体的には、映像データおよび音声データの少なくとも一方を含むデータを再生し、送信するデータ送信装置と、前記データ送信装置に接続され、当該接続されたデータ送信装置から受け取った前記データを受信して処理するデータ受信装置とを備えるデータ送受信システムであって、前記データ送信装置は、装置の動作を制御するクロックを送信側クロックとして生成する送信側クロック生成手段と、前記データ受信装置側で、前記送信側クロックに同期したクロックを受信側クロックとして生成して、当該送信側クロックとの同期をとる送信装置クロック制御モードにより前記データ送受信システムのクロックの同期を制御する第一の同期制御手段と、前記データ受信装置で検出した前記受信側クロックと前記送信側クロックとの差異に応じて前記データ送信装置側で、前記送信側クロックを調整することにより、前記受信側クロックと前記送信側クロックとの同期をとる受信装置クロック制御モードにより前記データ送受信システムのクロックの同期を制御する第二の同期制御手段と、音声データおよび映像データのいずれか一方のみのデータの再生を行う場合、前記第一の同期制御手段に動作の制御を行わせ、音声データおよび映像データの両方を含むデータの再生を行う場合、前記第二の同期制御手段に動作の制御を行わせる再生制御手段と、前記接続されているデータ受信装置を特定する受信装置特定手段と、
前記送信側クロックと前記受信側クロックとの差異を検出するクロック差異検出手段と、を備え、前記データ受信装置は、前記受信側クロックを生成する受信側クロック生成手段と、前記受信装置クロック制御モードで動作する場合、前記受信側クロックと前記送信側クロックとの差異を検出し、差異を補正する制御信号を生成し、前記データ送信装置に送出する制御信号生成出力手段と、を備え、前記クロック差異検出手段は、前記制御信号の種別と頻度により差異を検出し、前記再生制御手段は、前記受信装置クロック制御モードでの動作の要求を受け付けると、前記受信装置特定手段で特定したデータ受信装置が、受信装置クロック制御モードで動作したことがある場合、前記クロック差異検出手段が検出した差異が、予め定めた範囲内の場合、前記音声データおよび映像データの両方を含むデータを再生する場合であっても、前記第一の同期制御手段に同期を制御させることを特徴とするデータ送受信システムを提供する。
【手続補正３】
【補正対象書類名】明細書
【補正対象項目名】００２２
【補正方法】変更
【補正の内容】
【００２２】
出力部４は、アナログ映像信号を出力するアナログ映像出力部４０１と、デジタル音声信号を出力するデジタル音声出力部４０２と、ＩＥＥＥ１３９４の規定に従ってフォーマットされた音声信号を出力するＩＥＥＥ１３９４音声出力部４０４と、アナログ音声出力部４０３とを備える。ＩＥＥＥ１３９４音声出力部４０４は、ＩＥＥＥ１３９４音声出力ブロック部４０４１を備え、ＩＥＥＥ１３９４音声出力ブロック部４０４１から音声信号を出力する。また、アナログ音声出力部４０３は、アナログマルチチャンネル音声出力端子ＦＬ、ＦＲ、Ｃ、ＳＬ、ＳＲ、ＳＷを備える。
【手続補正４】
【補正対象書類名】明細書
【補正対象項目名】００３７
【補正方法】変更
【補正の内容】
【００３７】
ＤＳＰ１４は、ＤＩＲ１１、ＩＥＥＥ１３９４音声入力部１００３、ＡＤＣ１２からそれぞれ出力を受け取り、ドルビーデジタル、ｄｔｓ、ドルビーデジタルＥＸ、ｄｔｓＥＳ等の復調を行うと共に、各種サラウンドモードの処理を実施する。
【手続補正５】
【補正対象書類名】明細書
【補正対象項目名】００４６
【補正方法】変更
【補正の内容】
【００４６】
すなわち、ＡＶアンプ２００は、両マスタークロックの不整合をモニタし、定期的に、光ディスク再生装置１００へＦＡＳＴ(+１%)、ＳＬＯＷ(-１%)、ＳＴＡＮＤＡＲＤ(０%)のいずれかのコマンドを送信する。所定の範囲内であれば、ＳＴＡＮＤＡＲＤ(０%)コマンドを、光ディスク再生装置１００のマスタークロックがＡＶアンプ２００のマスタークロックより所定以上遅いことを検出した場合は、ＦＡＳＴ(+１%)コマンドを、逆の場合は、ＳＬＯＷ(-１%)コマンドを送出する。
【手続補正６】
【補正対象書類名】明細書
【補正対象項目名】００９８
【補正方法】変更
【補正の内容】
【００９８】
図５は、映像用マスタークロック生成部９０１および音声用マスタークロック生成部９０２の回路図である。図５（ａ）は、映像用マスタークロック生成部９０１の回路図であり、図５（ｂ）は、音声用マスタークロック生成部９０２の回路図である。映像用マスタークロック生成部９０１は、音声用マスタークロックセレクタ９０３からの指示に従って、出力クロックを変動させる。
【手続補正７】
【補正対象書類名】明細書
【補正対象項目名】０１２２
【補正方法】変更
【補正の内容】
【０１２２】
以上説明したように、上記全ての実施形態によれば、データ送信装置とデータ受信装置との間でのビデオ信号及びオーディオ信号の伝送において、適応的にマスタークロックの周波数を変更することができるデータ送受信システム、データ送信装置及びデータ受信装置を提供することができる。
【手続補正８】
【補正対象書類名】明細書
【補正対象項目名】０１２４
【補正方法】変更
【補正の内容】
【０１２４】
１００：ＩＥＥＥ１３９４対応光ディスク再生装置、２００：ＩＥＥＥ１３９４対応光ディスク再生装置、１：メカユニット部、２：信号処理部、３：アプリケーションブロック部、４：出力部、５：システムコントローラ部、６：ユーザインタフェースブロック部、７：ＤＡＣ（Ｄｉｇｉｔａｌ Ａｎａｌｏｇ Ｃｏｎｖｅｒｔｅｒ）部、８：リモコン送信機、９：マスタークロック生成部、１０：入力部、１１：ＤＩＲ、１２：ＡＤＣ、１３：マイコン、１４：ＤＳＰ、１５：ＤＡＣ、１６：ＡＭＰ、１７：マスタークロック生成部、１８：ビデオ出力部